(57)【要約】【課題】カメラ部の回転操作をしやすくし、好ましくは表示画面とカメラの軸線を平行に調整しやすくしたカメラ付携帯端末を提供する。【解決手段】折畳み式の携帯端末の一の筐体１２の端部にカメラ部１１が接続されてなるカメラ付携帯端末であって、カメラ部と一の筐体の端部とは、互いの接合面に対し直交する軸Ｌを中心に回転自在に接続され、カメラ部は、所定の回転位置で一の筐体と面一になっていて、カメラ部における筐体の表面２２と面一となる面１９に、カメラ２０が設けられている。【選択図】　　　　図１
2004112433.tif 000002
【特許請求の範囲】
【請求項１】
携帯端末の筐体の端部にカメラ部が接続されてなるカメラ付携帯端末であって、
前記カメラ部と前記筐体の端部とは、互いの接合面に対し直交する軸を中心に回転自在に接続され、
該カメラ部は、所定の回転位置で前記一の筐体と面一になっていて、
前記カメラ部における前記筐体の表面と面一となる面に、カメラが設けられていることを特徴とするカメラ付携帯端末。
【請求項２】
折畳み式の携帯端末の一の筐体の端部にカメラ部が接続されてなるカメラ付携帯端末であって、
前記カメラ部と前記一の筐体の端部とは、互いの接合面に対し直交する軸を中心に回転自在に接続され、
該カメラ部は、所定の回転位置で前記一の筐体と面一になっていて、
前記カメラ部における前記筐体の表面と面一となる面に、カメラが設けられていることを特徴とするカメラ付携帯端末。
【請求項３】
前記カメラ部における前記カメラの設置面と反対の面に、スピーカが設けられていることを特徴とする請求項１又は２に記載のカメラ付携帯端末。
【請求項４】
前記カメラ部と、前記筐体又は前記一の筐体との互いの接合面には、前記回転位置で互いに係合して前記カメラ部の回転を抑制する係止部がそれぞれ設けられていることを特徴とする請求項１ないし３のいずれかに記載のカメラ付携帯端末。
【発明の詳細な説明】
【０００１】
【発明の属する技術分野】
本発明は、カメラ付携帯端末に関するものである。
【０００２】
【従来の技術】
近年、カメラ付きの携帯電話機が普及しつつある。このカメラ付携帯電話（端末）は、デジタルカメラを携帯電話機に固定式に、あるいは種々のアングルで撮影可能なように可動式に設置したものであり、後者としては、折畳み式携帯電話機の一の筐体の上端中央部に筒形のカメラ部２１５を設けたものがある（例えば、特許文献１参照）。このカメラ部は、筐体の横方向に沿う軸を中心に回転自在になっていて、ＣＣＤカメラ２１６を表示部２１２側へ回転させれば通話者を撮影でき、ＣＣＤカメラ２１６を回転させればその方向の画像を撮影できるようになっている。
【０００３】
【特許文献１】
特開２００１−３０７１０８号公報（図１８）
【０００４】
【発明が解決しようとする課題】
しかしながら、上記した従来技術の場合、カメラ部の形状が筒形であるため、回転位置によっては筐体から突出し、折畳みが完全にできなくなる虞がある。又、カメラ部が筐体の中央部に入り込んでいるため、カメラ部が比較的小さくて持ちにくく、回転操作がしづらい場合がある。
【０００５】
又、通常、カメラ付携帯電話では、ファインダの代わりとして携帯電話の表示画面（液晶等）を見ながら撮影するが、表示画面とカメラの軸線が平行な方が撮影がしやすい。しかるに、カメラ部が筒状であると、カメラ部をどの回転位置まで回転させれば表示画面の軸線と平行になるかを判断するのが困難である。これは、両者の位置合わせをするためのガイドとなる平面がカメラ部に形成されていないことに起因する。
【０００６】
本発明は、上記の課題を解決するためになされたものであり、カメラ部を大きくして回転操作をしやすくし、好ましくは表示画面とカメラの軸線を平行に調整しやすくしたカメラ付携帯端末の提供を目的とする。
【０００７】
【課題を解決するための手段】
上記目的を達成するために、請求項１記載の本発明は、携帯端末の筐体の端部にカメラ部が接続されてなるカメラ付携帯端末であって、前記カメラ部と前記筐体の端部とは、互いの接合面に対し直交する軸を中心に回転自在に接続され、該カメラ部は、所定の回転位置で前記一の筐体と面一になっていて、前記カメラ部における前記筐体の表面と面一となる面に、カメラが設けられていることを特徴とする。
このようにすると、カメラ部が筐体と面一になるのでカメラ部が外側に露出するとともに、その断面形状が筐体と同じ大きさとなるので、カメラ部が大きくて持ちやすく、回転操作が容易となる。
又、筐体表面に表示画面が設けられている場合には、カメラ部と筐体とを面一に合わせることで、表示画面とカメラの軸線を平行に調整しやすく、表示画面を通して撮影する際の視認性が良好となる。
【０００８】
請求項２記載の本発明は、折畳み式の携帯端末の一の筐体の端部にカメラ部が接続されてなるカメラ付携帯端末であって、前記カメラ部と前記一の筐体の端部とは、互いの接合面に対し直交する軸を中心に回転自在に接続され、該カメラ部は、所定の回転位置で前記一の筐体と面一になっていて、前記カメラ部における前記筐体の表面と面一となる面に、カメラが設けられていることを特徴とする。このようにすると、カメラ部が筐体と面一になるのでカメラ部が外側に露出するとともに、その断面形状が筐体と同じ大きさとなるので、カメラ部が大きくて持ちやすく、回転操作が容易となる。
又、一の筐体表面に表示画面が設けられている場合には、カメラ部と一の筐体とを面一に合わせることで、表示画面とカメラの軸線を平行に調整しやすく、表示画面を通して撮影する際の視認性が良好となる。
さらに、カメラ部が一の筐体と面一となるので、この状態で一の筐体と他の筐体を合わせて携帯端末を折畳むと、カメラ部が対向する他の筐体とほぼ隙間なく重なり合うので、折畳みが確実に行える。
【０００９】
請求項３記載の本発明は、前記カメラ部における前記カメラの設置面と反対の面に、スピーカが設けられていることを特徴とする。
このようにすると、通話用のスピーカとカメラとが同じカメラ部の表裏に設けられるので、スピーカを別の位置に設けた場合に比べ、前記軸方向における携帯端末全体の寸法を短くすることができる。
【００１０】
請求項４記載の本発明は、前記カメラ部と、前記筐体又は前記一の筐体との互いの接合面には、前記回転位置で互いに係合して前記カメラ部の回転を抑制する係止部がそれぞれ設けられていることを特徴とする。
このようにすると、係止部が、カメラ部と（一の）筐体とが面一になった時点でそれ以上の回転を抑制するので、カメラ部と（一の）筐体とが面一になったことを操作者が容易に知ることができるとともに、面一状態からずれることがない。
【００１１】
【発明の実施の形態】
本発明の一実施形態のカメラ付携帯端末を図１を参照して以下に説明する。
本実施形態のカメラ付携帯端末は、折り畳み式の携帯電話である。
【００１２】
本実施形態の折畳式携帯電話は、図１および図２に示すように、その外殻を構成するカメラ部（第１筐体）１１、第２筐体（一の筐体）１２および第３筐体（他の筐体）１３を有している。カメラ部１１と第２筐体１２の上端部とは後述する連結部において互いの接合面に対し直交する軸Ｌを中心に回転可能に接続されており、第３筐体１３は第２筐体１２の下端部（第１筐体１１との接続端部に対し反対側）の連結部１５において第２筐体１２に対し折り畳まれるように回動可能に連結されている。
【００１３】
カメラ部１１は、第２筐体１２とともに携帯電話の筐体を構成するので、第１筐体ということができる。カメラ部１１は、第２筐体１２に対し回転することで表裏を入れ替えるようになっている。また、第２筐体１２と第３筐体１３とは、連結部１５を中心に回動することで、互いに重なり合う閉状態と互いにほぼ直線状に並ぶ開状態との間で開閉可能となっている。
【００１４】
カメラ部１１は厚さの薄い略直方体形状をなしている。カメラ部１１の厚さ方向における一側の面１７には、音声を発生させるスピーカ１８が設けられており、厚さ方向における逆側の面１９には、ＣＣＤカメラ２０及びフラッシュ撮影用の光源２１が設けられている。
【００１５】
第２筐体１２も、厚さの薄い略直方体形状をなしており、閉状態で第３筐体１３に対向することになる厚さ方向における一側の面（表面）２２に、液晶素子等からなる表示画面２３が設けられている。
【００１６】
第３筐体１３も、厚さの薄い略直方体形状をなしており、閉状態でカメラ部１１および第２筐体１２に対向する厚さ方向における一側の面２５に、主な操作入力が行われる操作入力部２６が設けられている。
【００１７】
操作入力部２６は、連結部１５側に、面２５に沿う方向に若干な角度で傾動可能なセンターキー２７を有している。このセンターキー２７は、上下左右方向に突出する十字形状をなしており、面２５に沿って上下左右に傾動可能とされ、しかも面２５に垂直な方向にも移動可能とされている。そして、これらの傾動および垂直移動で操作入力が行われるようになっている。
【００１８】
また、操作入力部２６は、センターキー２７の両側に設けられた入力キー２９，３０と、センターキー２７の下側に左右に並んで設けられた、入力された電話番号での発信を実行等するための通話入力キー３２、入力をキャンセル等するためのクリア入力キー３３および通話を切断等するための通話切断入力キー３４を有している。
【００１９】
操作入力部２６は、さらに、これらの下側に、左右３列、上下４段の合計１２個の数字、かなおよび英字等をモードに応じて入力するための入力キー４１〜５２を有している。
【００２０】
そして、第３筐体１３の面２５の連結部１５に対し反対側の端部には、音声を検出するマイク５３が設けられている。
【００２１】
以上により、本実施形態の折畳式携帯電話は、中間部分の連結部１５で折り畳まれるとともに、折畳中心である連結部１５に対し一側に表示画面２３が設けられ、連結部１５に対し逆側に操作入力部２６が設けられて、折畳時にこれら表示画面２３および操作入力部２６が対向状態となる。また、カメラ部１１は、ＣＣＤカメラ２０及び光源２１を第２筐体１２の表示画面２３と同面に設ける状態（端末ユーザ自身を撮影する場合等）と表示画面２３に対し反対側に設ける状態（外の画像を撮影する場合等）とに回転する。
【００２２】
次に、カメラ部１１の断面構造について、図２を参照して説明する。この図に示すように、カメラ部１１の一側の面１７にスピーカ１８が設けられ、逆側の面１９にＣＣＤカメラ２０及び光源２１が設けられている。ここで、「スピーカが設けられ」とは、具体的にはスピーカの開口部１８が面１７側に位置することをいい、スピーカ本体１８Ｂはカメラ部１１の内部に設けられていてかまわない。つまり、開口部１８が面１７側に位置すると、面１７側からスピーカが鳴動するので、この面にスピーカが設けられたものとする。同様に、面１９には、具体的にはＣＣＤカメラ２０のレンズ面（受像部）及び光源２１のレンズ面が位置しているが、ＣＣＤカメラ本体２０Ａ及び光源本体２１Ａはカメラ部１１の内部に設けられていてかまわない。つまり、各レンズ面が面１９側に位置すると、面１９側を被写体に向けて撮影することになることから、この面にＣＣＤカメラ及び光源が設けられたものとする。なお、スピーカ本体１８Ａからスピーカ開口部１８へ音が伝わりやすいよう、集音部１８Ｂが設けられている。
【００２３】
なお、このようにカメラ部１１の表裏面にそれぞれカメラとスピーカとを設けると、カメラ部の縦方向（図１の上下方向）の寸法、ひいては携帯端末全体の寸法を小さくすることができ、コンパクト化に資することになる。但し、この場合、誤ってカメラ部のある面１７を表示画面２３側に向けた状態で通話しようとする不具合がある。従って、例えばカメラ部１１の回転位置を検出し、面１７が表示画面２３側に向いた状態では通話不能としたり、カメラ部を正しい位置に回転するよう指示する制御を行うようにしてもよい。
【００２４】
図３は、本実施形態の携帯電話を折畳んだ状態を示す側面図である。この図において、カメラ部１１の面１７又は１９を第２筐体１２の表示画面２３と同面に設ける状態に回転させた位置で、カメラ部１１は第２筐体１２と面一（同じ面上にあること）となる。そのため、この状態で第２筐体１２及び第３筐体１３を合わせて携帯電話を折畳むと、カメラ部１１が第１筐体１１から出っ張ることがなく、カメラ部１１は第３筐体１３とほぼ隙間なく重なり合うので、折畳みが確実に行える。又、カメラ部１１を回転させて第２筐体１２と面一にするだけで、第２筐体１２の表面の表示画面２３と、カメラ部１１の面１９のＣＣＤカメラ２０とが平行に位置する、つまり両者の軸線が平行になるので、表示画面２３を見ながらＣＣＤカメラ２０で撮影する際、被写体の確認がし易くなる。
【００２５】
次に、カメラ部１１と第２筐体１２との接続構造について、断面図４を参照して説明する。この図において、カメラ部１１の底面１１Ａと、第２筐体の上面１２Ａとが互いの接合面となっている。底面１１Ａ及び面１２Ａの内側には、それぞれ短冊状の金属プレート７２、７４が設置され、各金属プレート７２、７４の中心部には円形の穴が穿孔されている。そして、この穴の径よりわずかに縮径で円筒状の連結部７０が、各穴を貫入している。又、連結部７０の両端は各金属プレート７２、７４より内側まで延び、延びた位置で上記穴径より拡径のフランジ部を形成することにより、連結部７０から各金属プレート７２、７４（すなわちカメラ部１１と第２筐体１２）が外れることを防止し、連結部７０が確実にこれらを軸支するようになっている。
【００２６】
各金属プレート７２、７４は軸受金具から構成されているので、連結部７０を中心に滑らかに回転するようになっている。又、連結部７０の中心部分の空間には、カメラ部１１と第２筐体１２とを連絡する所定のコード（ケーブル）７９が配設されている。
【００２７】
又、カメラ部１１の底面１１Ａには、連結部７０を中心として等距離離れた位置に、凹部７８、７８がそれぞれ設けられている。又、第２筐体の上面１２Ａには、連結部７０を中心として等距離離れた位置に、凸部７６、７６がそれぞれ設けられている。そして、図３で述べたようにカメラ部１１と第２筐体１２とが面一となるようカメラ部１１を回転させると、上記凸部７６、７６が凹部７８、７８に係合し、それ以上の回転を抑制する。つまり、凸部７６と凹部７８が回転を止めるストッパとして機能するので、カメラ部１１と第２筐体１２とが面一になったことを操作者が容易に知ることができるとともに、面一状態からずれることがない。なお、凸部７６と凹部７８とで係止部を構成する。
【００２８】
図５は、カメラ部１１と第２筐体１２との回転状態を示す斜視図である。この図において、第２筐体１２の表示画面２３に対し、カメラ部１１の一側の面１７が面一のなる場合と、逆側の面１９が面一のなる場合のいずれにおいても、凸部７６が凹部７８に係合するようになっている。
【００２９】
本発明の携帯端末は、以上に述べた実施形態に限定されない。例えば上記実施形態では、折畳み式の携帯電話について説明したが、折り畳み式ではないストレートタイプの携帯電話についても本発明を適用可能である。又、携帯電話に限らず、ＰＤＡ（携帯情報端末）等の携帯端末であれば本発明を適用可能である。
【００３０】
さらに、上記した凸部と凹部に限らず、カメラ部１１を第２筐体１２に対して所定位置だけ回転させたとき、カメラ部１１の回転を抑制するものであれば、何でもよい。
【００３１】
【発明の効果】
以上詳述したように、本発明によれば、カメラ部が筐体と面一になるのでカメラ部が外側に露出するとともに、その断面形状が筐体と同じ大きさとなるので、カメラ部が大きくて持ちやすく、回転操作が容易となる。
【００３２】
又、筐体表面に表示画面が設けられている場合には、カメラ部と筐体とを面一に合わせることで、表示画面とカメラの軸線を平行に調整しやすく、表示画面を通して撮影する際の視認性が良好となる。
【図面の簡単な説明】
【図１】本発明の一実施形態のカメラ付携帯端末を示すもので、（ａ）は正面図、（ｂ）はカメラ部１１を軸Ｌを中心に１８０度回転させた状態を示す図である。
【図２】図１のＩＩ−ＩＩ線に沿う断面図である。
【図３】カメラ付携帯端末を折畳んだ状態を示す側面図である。
【図４】図３のＩＶ−ＩＶ線に沿う断面図である。
【図５】カメラ部１１と第２筐体１２との回転状態を示す斜視図である。
【符号の説明】
１１　　　　　　　　カメラ部
１２　　　　　　　　一の筐体
１７　　　　　　　　カメラ部の一側の面
１８　　　　　　　　スピーカ
１９　　　　　　　　カメラ部の逆側の面
２０　　　　　　　　ＣＣＤカメラ
２２　　　　　　　　一の筐体の一側の面（表面）
７６　　　　　　　　凸部（係止部）
７８　　　　　　　　凹部（係止部）
Ｌ　　　　　　　　　軸
【図１】
2004112433.tif 000003
【図２】
2004112433.tif 000004
【図３】
2004112433.tif 000005
【図４】
2004112433.tif 000006
【図５】
2004112433.tif 000007